(57)【要約】【課題】電源操作時等に機能モードを選択でき、電源操作に伴って表示される動画画面によって、選択されている機能を判別できる電子機器、印刷装置、電子機器の動画画面表示方法、プログラムおよび記憶媒体を提供する。【解決手段】全機能のうちの使用可能な機能の範囲が相互に異なる複数の機能モードを有し、電源投入時のオープニング画面および電源切断時のエンディング画面の少なくとも一方を電源操作に伴う動画画面として動画表示する。この場合、複数の機能モードに対応する複数種類の動画画面を用意し、複数の機能モードのうちの１を選択し、電源操作の終了時点で選択されている機能モードに対応する動画画面を表示する。【選択図】　図７
2004009568.tif 000002
【特許請求の範囲】
【請求項１】
全機能のうちの使用可能な機能の範囲が相互に異なる複数の機能モードを有すると共に、電源投入時のオープニング画面および電源切断時のエンディング画面の少なくとも一方を電源操作に伴う動画画面として表示する電子機器であって、
前記複数の機能モードに対応する複数種類の動画画面を記憶する動画記憶手段と、
前記複数の機能モードのうちの１を選択する機能選択手段と、
選択された機能モードに対応する前記動画画面を表示する動画表示手段と、
を備えたことを特徴とする電子機器。
【請求項２】
前記機能選択手段は、前記電源操作を行う電源操作手段と同時に操作され実行されることを特徴とする、請求項１に記載の電子機器。
【請求項３】
前記電源操作手段は、電源キーであり、前記機能選択手段は、選択する機能モードにより異なる数字キーまたはアルファベットキーであることを特徴とする、請求項２に記載の電子機器。
【請求項４】
前記電源操作前に選択されていた機能モードを記憶するモード記憶手段をさらに備え、
前記電源操作手段は、単独で操作されたときに、前記電源操作前に選択されていた機能モードを維持しつつ、前記電源操作を行うものであることを特徴とする、請求項２または３に記載の電子機器。
【請求項５】
前記電源操作のみを行う電源操作手段をさらに備え、
前記機能選択手段は、前記電源操作手段とは独立して、前記機能モードを選択する選択操作と前記電源操作とを同時に実行可能な専用操作手段を有することを特徴とする、請求項１に記載の電子機器。
【請求項６】
前記電源操作手段は、電源キーであり、前記専用操作手段は、前記複数の機能モードに対応して前記電源キー以外に設けられた専用キーであることを特徴とする、請求項５に記載の電子機器。
【請求項７】
前記複数の機能モードには、全機能を有効にする標準モード、一般事務向けの機能に特化した一般モード、個人の大人向けの機能に特化した大人モード、子供向けの機能に特化した子供モード、男の子向けの機能に特化した男子モード、女の子向けの機能に特化した女子モードおよび外国人向けの機能に特化した外人モードのうちの少なくとも２つが含まれることを特徴とする、請求項１ないし６のいずれかに記載の電子機器。
【請求項８】
前記複数の機能モードには、製品としての仕向け先別の機能モードまたは製品のグレード別の機能モードが含まれることを特徴とする、請求項１ないし７のいずれかに記載の電子機器。
【請求項９】
請求項１ないし８のいずれか１項に記載の各手段を備えた前記電子機器としての印刷装置であって、
文字列を入力して編集可能な文字列編集手段と、
前記文字列を印刷対象物に印刷する印刷手段と、
をさらに備えたことを特徴とする印刷装置。
【請求項１０】
前記印刷対象物は、テープであることを特徴とする、請求項９に記載の印刷装置。
【請求項１１】
前記複数の機能モードには、前記文字列についての書式、前記文字列についてのスタイル、前記文字列についての装飾属性、前記文字列を特殊仕様で印刷する特殊印刷、および前記文字列とともに使用可能なキャラクタの、少なくとも１についての選択肢の異なるものが含まれることを特徴とする、請求項９または１０に記載の印刷装置。
【請求項１２】
全機能のうちの使用可能な機能の範囲が相互に異なる複数の機能モードを有すると共に、電源投入時のオープニング画面および電源切断時のエンディング画面の少なくとも一方を電源操作に伴う動画画面として表示する電子機器の動画画面表示方法であって、
前記複数の機能モードに対応する複数種類の動画画面を用意し、前記複数の機能モードのうちの１を選択し、選択された機能モードに対応する前記動画画面を表示することを特徴とする電子機器の動画画面表示方法。
【請求項１３】
プログラム処理可能な情報処理装置によって処理されることにより、請求項１ないし１１のいずれか１項に記載の各手段の機能を実行可能なことを特徴とするプログラム。
【請求項１４】
プログラム処理可能な情報処理装置によって処理されることにより、請求項１２に記載の方法を実行可能なことを特徴とするプログラム。
【請求項１５】
請求項１ないし１１のいずれか１項に記載の各手段の機能を実行可能なプログラムを記憶することを特徴とする記憶媒体。
【請求項１６】
請求項１２に記載の方法を実行可能なプログラムを記憶することを特徴とする記憶媒体。
【発明の詳細な説明】
【０００１】
【発明の属する技術分野】
本発明は、電源操作に伴って動画表示を行う電子機器、印刷装置、電子機器の動画画面表示方法、プログラムおよび記憶媒体に関する。
【０００２】
【従来の技術】
テープ印刷装置等を初めとする小型の電子機器においても、無機質な雰囲気を和らげる等の目的で、電源投入操作に従って電源が起動されるときにオープニング画面を動画表示したり、電源切断操作に従って電源が停止されるときにエンディング画面を動画表示するなど、電源操作に伴って動画表示を行うものが知られている。
【０００３】
【発明が解決しようとする課題】
ところで、一旦購入した電子機器であっても、ユーザの属性（例えばユーザの年齢・国籍、その電子機器の使用場所、使用目的など）によっては、使用する機能の種類や傾向が異なるので、一般事務向け、子供向け、建築現場向け、病院向け、外国人向け、等々、使用可能な機能を絞りたい（専用化したい）場合がある。また、一旦、例えば一般事務（大人）向けに設定したものを、子供向けに設定変更したい場合もある。
【０００４】
このような場合、電子機器に、全機能のうちの使用可能な機能の範囲（専用化して絞られた機能）が相互に異なるように、複数の機能モードを設けてあれば、それらのいずれかをユーザにより選択可能とすることもできるが、この種の選択機能を設けている場合は少なく、あったとしても、特別な選択画面等を利用して選択・設定しなければならず、その作業は煩雑であった。また、これらの場合、どのような機能モードの設定になっているかを確認するためには、実際に試用してみる等の必要があり、面倒であった。
【０００５】
本発明は、電源操作時等において容易に機能モードを選択でき、電源操作に伴って表示される動画画面によって、選択されている機能を判別できる電子機器、印刷装置、電子機器の動画画面表示方法、プログラムおよび記憶媒体を提供することを目的とする。
【０００６】
【課題を解決するための手段】
本発明の請求項１の電子機器は、全機能のうちの使用可能な機能の範囲が相互に異なる複数の機能モードを有すると共に、電源投入時のオープニング画面および電源切断時のエンディング画面の少なくとも一方を電源操作に伴う動画画面として表示する電子機器であって、前記複数の機能モードに対応する複数種類の動画画面を記憶する動画記憶手段と、前記複数の機能モードのうちの１を選択する機能選択手段と、選択された機能モードに対応する前記動画画面を表示する動画表示手段と、を備えたことを特徴とする。
【０００７】
また、請求項１２の動画画面表示方法は、全機能のうちの使用可能な機能の範囲が相互に異なる複数の機能モードを有すると共に、電源投入時のオープニング画面および電源切断時のエンディング画面の少なくとも一方を電源操作に伴う動画画面として表示する電子機器の動画画面表示方法であって、前記複数の機能モードに対応する複数種類の動画画面を用意し、前記複数の機能モードのうちの１を選択し、選択された機能モードに対応する前記動画画面を表示することを特徴とする。
【０００８】
この電子機器およびその動画画面表示方法では、動画画面として複数の機能モードに対応する複数種類を用意し、複数の機能モードのうちの１を選択し、選択された機能モードに対応する動画画面を表示するので、機能モードを選択できるとともに、電源操作に伴って表示される動画画面によって、選択されている機能を判別できる。
【０００９】
また、請求項１の電子機器において、前記機能選択手段は、前記電源操作を行う電源操作手段と同時に操作され実行されることが好ましい。
【００１０】
この電子機器では、選択操作を行うための機能選択手段と、電源操作手段とを同時に操作することによって、選択操作を伴った電源操作を行うので、操作方法が感覚的に理解しやすいとともに、電源操作時において容易に機能モードを選択でき、そのときに選択した機能モードに対応する動画画面を表示するので、迅速且つ容易に確認ができる。
【００１１】
また、請求項２の電子機器において、前記電源操作手段は、電源キーであり、前記機能選択手段は、選択する機能モードにより異なる数字キーまたはアルファベットキーであることが好ましい。
【００１２】
この電子機器では、選択する機能モードと数字キーまたはアルファベットキーを対応づけて覚えておけば、電源キーと同時に操作するだけで、その機能モードを容易に選択でき、選択操作を伴った電源操作ができる。
【００１３】
また、請求項２または３の電子機器において、前記電源操作前に選択されていた機能モードを記憶するモード記憶手段をさらに備え、前記電源操作手段は、単独で操作されたときに、前記電源操作前に選択されていた機能モードを維持しつつ、前記電源操作を行うものであることが好ましい。
【００１４】
この電子機器では、例えばレジスタやフラグ等などのモード記憶手段を備えていて、電源操作手段が単独で操作されたときには、電源操作前に選択されていた機能モードを維持した電源操作を行うので、単独操作により同一機能モードを維持した運用ができる。
【００１５】
また、請求項１の電子機器において、前記電源操作のみを行う電源操作手段をさらに備え、前記機能選択手段は、前記電源操作手段とは独立して、前記機能モードを選択する選択操作と前記電源操作とを同時に実行可能な専用操作手段を有することが好ましい。
【００１６】
この電子機器では、電源操作のみを行う電源操作手段とは独立して、専用操作手段により選択操作と電源操作とを同時に実行できるので、操作しやすいとともに、電源操作時において容易に機能モードを選択でき、その電源操作時の終了時点で、そのときに選択した機能モードに対応する動画画面を表示するので、迅速且つ容易に確認ができる。
【００１７】
また、請求項５の電子機器において、前記電源操作手段は、電源キーであり、前記専用操作手段は、前記複数の機能モードに対応して前記電源キー以外に設けられた専用キーであることが好ましい。
【００１８】
この電子機器では、複数の機能モードに対応して電源キー以外に設けられた専用キーを操作するだけで、その機能モードを選択する選択操作を伴った電源操作ができる。
【００１９】
また、請求項１ないし６のいずれかの電子機器において、前記複数の機能モードには、全機能を有効にする標準モード、一般事務向けの機能に特化した一般モード、個人の大人向けの機能に特化した大人モード、子供向けの機能に特化した子供モード、男の子向けの機能に特化した男子モード、女の子向けの機能に特化した女子モードおよび外国人向けの機能に特化した外人モードのうちの少なくとも２つが含まれることが好ましい。
【００２０】
この電子機器では、各種の対象ユーザ別の機能モードが少なくとも２つ含まれるので、ユーザは、これらの機能モードのうちの１の選択操作を伴う電源操作により、自己の使用目的等に合ったものを選択でき、また、これらの機能モードのそれぞれに対応する動画画面が用意されているので、電源操作に伴って表示される動画画面によって、選択されている機能モードを判別できる。
【００２１】
また、請求項１ないし７のいずれかの電子機器において、前記複数の機能モードには、製品としての仕向け先別の機能モードまたは製品のグレード別の機能モードが含まれることが好ましい。
【００２２】
この電子機器では、複数の機能モードには、建築関係向けの建築モード、病院関係向けの病院モード、観光関係向けの観光モードなどの、製品としての仕向け先別の機能モードや、製品のグレード別の機能モードが含まれるので、これらの機能モードのうちの１を仕向け先やグレードに従って選択でき、これらの機能モードのそれぞれに対応する動画画面が用意されているので、電源操作に伴って表示される動画画面によって、選択されている機能モードを判別できる。
【００２３】
また、請求項９の印刷装置は、請求項１ないし８のいずれか１項に記載の各手段を備えた前記電子機器としての印刷装置であって、文字列を入力して編集可能な文字列編集手段と、前記文字列を印刷対象物に印刷する印刷手段と、をさらに備えたことを特徴とする。
【００２４】
この印刷装置では、文字列を入力・編集して印刷対象物に印刷できるとともに、上述の各手段を備えているので、電源操作時に機能を選択でき、その電源操作に伴って表示される動画画面によって、選択されている機能を判別できる。
【００２５】
また、請求項９の印刷装置において、前記印刷対象物は、テープであることが好ましい。
【００２６】
この印刷装置の印刷対象物は、テープなので、テープ印刷装置に適用できる。
【００２７】
また、請求項９または１０の印刷装置において、前記複数の機能モードには、前記文字列についての書式、前記文字列についてのスタイル、前記文字列についての装飾属性、前記文字列を特殊仕様で印刷する特殊印刷、および、前記文字列とともに使用可能なキャラクタ、の少なくとも１についての選択肢の異なるものが含まれることが好ましい。
【００２８】
この印刷装置では、複数の機能モードには、文字列についての書式、文字列についてのスタイル、文字列についての装飾属性、文字列を特殊仕様で印刷する特殊印刷、および、文字列とともに使用可能なキャラクタ、の少なくとも１についての選択肢の異なるものが含まれるので、選択された機能モードによって、書式としての仕様範囲、スタイルとしての仕様範囲、装飾属性としての仕様範囲、特殊印刷としての仕様範囲、使用可能キャラクタとしての仕様範囲など、が異なる。すなわち、電源操作時にこれらの仕様が異なる機能モードを選択できるとともに、その電源操作に伴って表示される動画画面によって、選択されている機能を判別できる。
【００２９】
また、請求項１３のプログラムは、プログラム処理可能な情報処理装置によって処理されることにより、請求項１ないし１１のいずれか１項に記載の各手段の機能を実行可能なことを特徴とする。
【００３０】
また、請求項１４のプログラムは、プログラム処理可能な情報処理装置によって処理されることにより、請求項１２に記載の方法を実行可能なことを特徴とする。
【００３１】
これらのプログラムは、プログラム処理可能な情報処理装置によって処理されることにより、電源操作時に機能を選択でき、その電源操作に伴って表示される動画画面によって、選択されている機能を判別できる。
【００３２】
また、請求項１５の記憶媒体は、請求項１ないし１１のいずれか１項に記載の各手段の機能を実行可能なプログラムを記憶することを特徴とする。
【００３３】
また、請求項１６の記憶媒体は、請求項１２に記載の方法を実行可能なプログラムを記憶することを特徴とする。
【００３４】
これらの記憶媒体に記憶されたプログラムを読み出して実行することにより、電源操作時に機能を選択でき、その電源操作に伴って表示される動画画面によって、選択されている機能を判別できる。
【００３５】
【発明の実施の形態】
以下、本発明の一実施形態に係るテープ印刷装置について、添付図面を参照しながら詳細に説明する。
【００３６】
図１および図２に示すように、このテープ印刷装置１は、装置ケース２により外殻が形成され、装置ケース２の前部上面には各種入力キーから成るキーボード３を備えている。また、後部上面には、その左部に開閉蓋２１が取り付けられ、その右部にはディスプレイ４が配設されている。
【００３７】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。
【００３８】
このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００３９】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００４０】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲが収容されており、印刷ヘッド７が臨む貫通開口５５が形成されている。
【００４１】
また、テープカートリッジＣの裏面には、相異なる幅等のテープＴの種別を識別できるように小さな複数の孔が設けられ、ポケット６には、この孔の有無を検出するマイクロスイッチなどのテープ識別センサ１４２が設けられていて、テープＴの種別（正確にはテープカートリッジＣの種別）を検出できるようになっている。テープＴは、裏面に接着面が形成され、それが剥離紙によって覆われた構成になっている。テープＴとインクリボンＲは、貫通開口５５の位置で相互に重なり合った状態で走行するとともに、テープＴのみが外部に排出され、インクリボンＲは内部で巻き取られるようになっている。
【００４２】
ヘッドユニット６１には、サーマルヘッドから成る印刷ヘッド７が内蔵されており、テープカートリッジＣが装着された状態で、印刷ヘッド７が貫通開口５５から露出しているインクリボンＲの裏面に当たり、発熱駆動されて所望の文字などがテープＴの表面に印刷される。ポケット６には、装着されたテープカートリッジＣの被駆動部が係合する駆動軸６２、６３などが設けられ、これらにより、送りモータ１２１を駆動源として、テープカートリッジＣ内のテープＴおよびインクリボンＲの送りが行われ、かつこれらに同期して印刷ヘッド７ｂが駆動され、印刷が行われる。また、テープ排出口２２には、テープＴを切断するテープカッタ１３２が臨み、印刷完了後、切断位置がテープカッタ１３２の位置に合うように、テープ排出口２２に向かってテープＴの送りが続行される。
【００４３】
切断部１３は、テープカッタ１３２と、これを切断動作させるカッタモータ１３１と、任意長印刷などの場合に手動（マニュアル）によりテープカッタを切断動作させるカットボタン１３３と、を備えている。また、定長印刷などの場合には自動（オート）でカッタモータ１３２を駆動する。また、これにより、テープ印刷装置１では、モード設定によって、自動／手動を切り替えられるようにしている。
【００４４】
検出部１４は、送りモータ１２１の回転速度を検出するための回転速度センサ１４１と、前述のテープ識別センサ１４２と、を備えている。なお、実状に合わせて、これらを省略した構成とすることもできる。
【００４５】
駆動部２７０は、ディスプレイドライバ２７１と、ヘッドドライバ２７２と、モータドライバ２７３と、を備えている。ディスプレイドライバ２７１は、制御部２００から出力される制御信号に基づき、その指示にしたがって、操作部１１のディスプレイ４を駆動する。同様に、ヘッドドライバ２７２は、制御部２００の指示にしたがって、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、各モータを駆動する。
【００４６】
操作部１１は、キーボード３とディスプレイ４とを備えている。ディスプレイ４は、横方向（Ｘ方向）約６ｃｍ×縦方向（Ｙ方向）４ｃｍの長方形の形状の内側に、９６ドット×６４ドットの表示画像データを表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００４７】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、図外の電源キー、印刷動作を指示するための印刷キー、テキスト入力時のデータ確定や改行および選択画面における各種モードの選択指示のための選択キー、並びに、それぞれ上下左右の方向へのカーソル移動や表示画面４１の表示範囲を移動させるための４個のカーソルキーなどが含まれる。なお、これらは、各キー入力毎に個別にキーを設けて入力しても良いし、シフトキー等と組み合わせてより少ない数のキーを用いて入力しても良い。
【００４８】
図３に示すように、キーボード３は、種々の指令およびデータを制御部２００に入力する。制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。
【００４９】
ＲＯＭ２２０は、ＣＰＵ２１０で処理する制御プログラムを記憶する制御プログラム領域２２１の他、後述の動画画面の画像データ、色変換テーブル、文字修飾テーブルなどを含む制御データを記憶する制御データ領域２２２を有している。ＣＧ−ＲＯＭ２３０は、テープ印刷装置１に用意されている文字等（数字、記号、図形等を含む）のフォントデータを記憶していて、文字等を特定するコードデータが与えられたときに、対応するフォントデータを出力する。
【００５０】
ＲＡＭ２４０は、電源オフ時のバックアップがされていて、各種フラグ・レジスタ群２４１、テキストデータ領域２４２、表示画像データ領域２４３、印刷画像データ領域２４４、描画登録画像データ領域２４５、外字登録画像データ領域２４６、文字展開バッファ、印刷バッファなどの各種バッファ領域２４７などの領域を有し、制御処理のための作業領域として使用される。
【００５１】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００５２】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのフォントデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００５３】
次に、テープ印刷装置１の制御全体の処理フローについて、図４を参照して説明する。電源キーを押すこと（電源オン）により処理が開始すると、同図に示すように、まず、電源オン時の状態に基づいて、電源立上げ後の機能モードを判別し、後述のように機能モード選択がされているときには、初期化を行い、前回と同じ機能モードのとき（機能モードが選択されていないとき）には、前回の電源オフ時の状態に戻すために、退避していた各制御フラグを復旧するなどの初期設定を行う（Ｓ１）。
【００５４】
初期設定が終了すると（Ｓ１）、次に、機能モード別のオープニング画面（動画画面）の表示を行った後（Ｓ２）、機能モードが変化した場合には、テキスト編集画面等の初期化された初期画面を表示する一方、機能モードが前回と同一の場合には、前回の表示画面を初期画面として表示する（Ｓ３）。
【００５５】
図４のその後の処理、すなわちキー入力か否かの判断分岐（Ｓ４）および各種割込処理（Ｓ５）は、概念的に示した処理である。実際には、テープ印刷装置１では、初期画面表示（Ｓ３）が終了すると、キー入力割込を許可し、キー入力割込が発生するまでは、そのままの状態を維持し（Ｓ４：Ｎｏ）、何らかのキー入力割込が発生すると（Ｓ４：Ｙｅｓ）、それぞれの割込処理に移行して（Ｓ５）、その割込処理が終了すると、再度、その状態を維持する（Ｓ４：Ｎｏ）。
【００５６】
上述のように、テープ印刷装置１では、主な処理を割込処理により行うので、印刷画像作成などの準備ができていれば、ユーザが任意の時点で印刷キーを押すことにより、印刷処理割込が発生して、印刷処理が起動され、印刷画像データに基づいて印刷画像の印刷ができる。すなわち、印刷に至るまでの操作手順は、ユーザが任意に選択できる。
【００５７】
例えば図５に示すように、カーソルＫまでの１行目の文字（キャラクタ）列「ＡＢＣＤ」を入力後のテキスト編集画面表示の状態で（画面Ｄ１０）、ユーザにより印刷キーが押されると、「印刷中」のメッセージの表示とともに文字列「ＡＢＣＤ」の文字列画像を印刷画像として印刷し（Ｄ１１）、印刷が終了すると、元のテキスト編集画面に戻る（Ｄ１２：Ｄ１０と同じ）。なお、テープ印刷装置１では、ユーザは、キー入力による各種指示を取消キーにより取り消すことができ、上述の状態（Ｄ１１）から取消キーを押すことにより、元のテキスト編集画面の表示状態（Ｄ１０）に戻すことができる。
【００５８】
ところで、テープ印刷装置１では、一般（事務）用と子供用の２種類の機能モードを有してそれらを切り換えることにより、一般用あるいは子供用のそれぞれに適した機能のみに絞った使い方ができる。すなわち、一般事務向けに機能を特化した機能モードを「一般モード」とし、子供向けに機能を特化した機能モードを「子供モード」として、これらを切り換えることができる。
【００５９】
例えば子供モードでは、子供が使いそうもない「割付け」の一部（図１５参照）や「表組み」（図１６参照）などの機能を使用対象外として、子供向けの機能に機能を絞って特化している。なお、一般用と子供用以外の機能モードも用意されているが、それらについては後述する。
【００６０】
ここで、テープ印刷装置１では、電源オン時に機能モードを選択でき、かつ、電源オン後のオープニング画面の表示（動画表示）によって、選択・設定されている機能モードを視認（判別）できるようになっている。以下、これらの点について詳述する。なお、電源オフ時にも同様の機能選択および動画表示（エンディング画面の表示）ができるが、これについては後述する。
【００６１】
まず、テープ印刷装置１では、電源キーを単独で押下することにより、機能モードの選択を伴わない（モード維持の）電源操作（モード維持電源操作）ができる一方、機能モードに対応する数字キーを電源キーと同時に押下することにより、機能モードの選択操作を伴う（モード選択の）電源操作（モード選択電源操作）ができる。
【００６２】
なお、以下、数字「１」キーを子供モード対応の数字キー、数字「２」キーを一般モード対応の数字キーとする。また、適宜、例えば子供モード用の電源キー＋数字「１」キーを「電源オンＮｏ．１」や「電源オフＮｏ．１」と呼称し、一般モード用では「電源オンＮｏ．２」や「電源オフＮｏ．２」と呼称する。
【００６３】
例えば電源オフの状態から、電源キーのみを単独で押すと、モード維持の電源操作なので、前回と同じ（最終的に選択されている）機能モードが選択されたものと判別して、前回の電源オフ時の状態を復帰する。このため、初期画面も前回の電源オフ時の画面となる。
【００６４】
例えば前回の機能モードとして一般モードが選択されていて、図５のテキスト編集画面（Ｄ１０またはＤ１２）を表示した状態で電源キーが押され（電源オフとなり）、今回、ユーザにより電源キーが単独で押されると、モード維持の電源操作なので、今回も前回と同じ一般モードであると判別し（図４のＳ１）、図６に示すように、一般向けのオープニング画面を動画表示し（Ｄ２０〜Ｄ２２：図４のＳ２）、前回の表示画面を初期画面として表示する（Ｄ２３：図５のＤ１０と同じ：図４のＳ３）。
【００６５】
一方、前回の電源オフまでが同じ状態であっても、図７に示すように、電源キーと数字「１」のキーが同時に押されると（電源オンＮｏ．１）、モード選択の電源操作なので、今回は子供モードに変更されたと判別し（Ｓ１）、子供向けのオープニング画面を動画表示し（Ｄ３０〜Ｄ３２：Ｓ２）、モード変更なので、初期画面としてテキスト編集画面の初期化画面を表示する（Ｄ３３：Ｓ３）。
【００６６】
前回の機能モードが子供モードの場合も、関係が逆になるだけで同様に動作する。すなわち、図８に示すように、モード維持の電源オン（電源キー単独）では、電源オフ状態になったときの機能モード（子供モード）を維持して、そのオープニング画面（子供向けＤ４０〜Ｄ４２：図７と同じ）を動画表示し、初期画面を前回の表示画面（Ｄ１０）とするが（Ｄ４３）、図９に示すように、一般モードを選択するモード選択の電源オン（電源オンＮｏ．２）では、一般モードに変更して、そのオープニング画面（一般向けＤ５０〜Ｄ５２：図６と同じ）を動画表示して、モード変更なので、初期画面をテキスト編集画面の初期化画面とする（Ｄ５３：図７のＤ３３と同じ）。
【００６７】
なお、モード選択の電源オン（例えば子供モード選択の電源オンＮｏ．１）が行われた場合、その前の電源オフの状態が他の機能モード（例えば一般モード）のときには、初期画面をテキスト編集画面の初期化画面（図７のＤ３３等）としたが、電源オフの状態が同一の機能モード（例えば子供モード）のときには、同様に初期化画面（Ｄ３３）とする仕様にしても良いし、モード変更（選択）は無かったものとして前回の表示画面（図８のＤ４３等）に戻す仕様としても良いし、これらをユーザが選択・設定できるようにしても良い。
【００６８】
また、上述の例では、モード選択の電源オンを、子供モード選択用（電源オンＮｏ．１）と一般モード選択用（電源オンＮｏ．２）に分けたが、２者択一なので、機能モード切換付き電源オン（例えば電源キー＋任意キー（数字キー等））として、交互に切り換わるようにしても良いし、そのために例えば機能モード切換付き電源キーのような特殊なキーを設けても良い。後述する電源オフ側についても同様にできる。
【００６９】
ところで、テープ印刷装置１では、電源オン時ばかりでなく、電源オフ時にも、次回の使用に向けて、機能モードの変更が可能となっている。また、この場合、電源オフ操作後のエンディング画面の表示（動画表示）によって、電源オフ状態に移行するときに設定されている機能モードを視認（判別）できるようになっている。
【００７０】
例えば図１０に示すように、今回の機能モードとして一般モードが選択されていて、図５のテキスト編集画面（Ｄ１０）を表示した状態で（Ｄ）、電源キーが単独で押されると、モード維持の電源操作なので、次回も今回と同じ一般モードであると判別し、一般向けのエンディング画面を動画表示し（Ｄ６１〜Ｄ６３）、次回の一般モードを予め定めた（一般モードを予約した）電源オフ状態となる。すなわち、図６または図７の最初の状態となる。
【００７１】
一方、図１１に示すように、同様の一般モードの電源オフ前の状態から（Ｄ７０）から、電源キーと数字「１」のキーが同時に押されると（電源オフＮｏ．１）、モード選択の電源操作なので、次回のために子供モードが予約（予約設定、予約選択）されたと判別し、子供向けのエンディング画面を動画表示し（Ｄ７１〜Ｄ７３）、子供モードを予約した電源オフ状態となる。すなわち、図８または図９の最初の状態となる。
【００７２】
今回の機能モードが子供モードの場合も、関係が逆になるだけで同様に動作し、例えば図１２に示すように、モード維持の電源オフ（電源キー単独）では、次回も同じ子供モードにすると判別し、子供向けのエンディング画面を動画表示し（Ｄ８１〜Ｄ８３：図１１のＤ７１〜Ｄ７３と同じ）、次回の子供モードを予約した電源オフ状態となる。また、例えば図１３に示すように、一般モード選択の電源オフ（電源オフＮｏ．２）では、一般モードが予約されたと判別し、一般向けのエンディング画面を動画表示し（Ｄ９１〜Ｄ９３：図１０のＤ７１〜Ｄ７３と同じ）、一般モード予約の電源オフ状態となる。
【００７３】
上述のように、テープ印刷装置１では、電源オン時のオープニング画面や電源オフ時のエンディング画面など、電源操作に伴う動画画面として、上記の一般モードと子供モードなど、択一的に選択される複数の機能モードのそれぞれに対応する複数種類の動画画面を用意し、電源操作が終了したときに、その時点で選択されている機能モードに対応する動画画面を表示する。
【００７４】
また、上述の場合、選択する機能モードに対応する数字キー（電源キー以外の操作キー）と、電源キー（電源操作手段）とを同時に操作することによって、機能モードの選択操作を伴った電源操作ができ、操作方法が感覚的に理解しやすくなっている。
【００７５】
なお、上述では数字キーとの組合せとしたが、アルファベットキーのａ、ｂ、ｃ等の順に割り付けても良いし、特徴（例えば頭文字）等を示すアルファベットキーに割り付けても良い。また、このほか、電源キー（電源操作のみを行う電源操作手段）とは独立して、機能モードの選択操作と電源操作とを同時に実行可能な専用キー（専用操作手段）を、複数の機能モードに対応して設けることもでき、この場合、選択する機能モードに対応する専用キーを操作するだけで、その機能モードを選択する選択操作を伴った電源操作ができるので、操作しやすい。
【００７６】
また、上述の例では、ユーザの電源操作により、機能モードが選択されたが、このような機能モードの選択機能を、ユーザには非公開（非公開仕様）として、メーカー側のみで使用できるようにしても良い。この場合、出荷後のユーザの電源操作前に、全ての機能モード選択が終了することになる。なお、この場合には、前述した電源キーと各種操作キーとの組合せ、専用キー、切換キー等の他、例えば機能モードの選択のために内蔵されたディップスイッチ等によるモード選択でも良い。
【００７７】
これにより、例えば出荷直前まで全機能使用可能な同一製品として扱い、出荷時に対象ユーザ別に機能を絞って出荷することができる。また、この場合、出荷時の検査時などの電源操作の前に選択を行っておけば、その後、ユーザに公開されたモード維持の電源操作のみ使用される限り、電源操作に伴って表示される動画画面によって、内部機能や外見が同じであっても、予め選択された機能を判別できる。なお、この場合、例えば図１４に示すように、子供モードにしたときには子供向けの趣旨を明確にするデザインにするなど、外見（外観）からも解るようにしても良いし、製品名や機種名等を変えて出荷しても良い。
【００７８】
ところで、テープ印刷装置１では、ユーザの属性（例えばユーザの年齢・国籍、その電子機器の使用場所、使用目的など）に着目して、対象ユーザを分類すると共に、使い勝手を考慮して機能を構築している。すなわち、対象ユーザ別に機能モードが用意され、例えば全機能を有効にする標準モード、一般事務向けの機能に特化した一般モード、個人の大人向け用の大人モード、子供向けの子供モード、男の子向けの男子モード、女の子向けの女子モードおよび外国人向けの外人モードなどが少なくとも２つ用意されている。
【００７９】
次に内容的な分類であるが、テープ印刷装置１では、例えば図１５〜図１６に示すように、作成・編集する文書の文字サイズを示す「サイズ」、縦書きと横書きの区別を示す「縦・横」、文書内や各段落内での文字列の割付けを示す「割付け」、枠や表の仕様を示す「枠表」など、いわゆる文書スタイル（段落スタイル）等として、選択可能な種々の選択肢が用意されているので、全機能（標準機能）を有効にする標準モードが選択されたときには、これらの全てを有効にする。
【００８０】
これに対し、例えば子供向けの子供モードでは、趣向を凝らした割付等は不要なので、例えば「割付け」の種類は「前寄せ」と「後寄せ」のみとし（図１５（ｂ）参照）、表組みなどの必要性も低いので対象外とし、複数段落に渡るような文書を作成することもなく、段落スタイルの設定範囲を「この文章」（文章全体）か、「この段落」（現在編集中の段落のみ）か、区別する必要もないので、その区別の選択肢も省略するなど（図１６（ｂ）参照）、段落スタイルの機能を、子供向けの必要機能のみに絞って専用化して、使いやすいものとすることができる。
【００８１】
また、例えば図１７（ａ）に示すように、全機能の標準モードでは、作成・編集する文書の背景模様（その文書を印刷してラベルを作成する場合の地模様）を示す「地紋」、定長印刷時に設定可能な選択肢を示す「定長」、ラベルを作成する際の余白として設定可能な選択肢を示す「余白」など、いわゆる文書の書式として、選択可能な種々の選択肢が用意される。
【００８２】
これに対し、例えば子供モードでは、同図（ｂ）に示すように、「余白」としては基本的な設定「ふつう」があれば十分であり、「定長」としては、子供が使いそうもない８ｍｍビデオサイズその他の選択肢は不要として定長の種類を限定しても良いし、その際の割付も種類を限定しても良いし、定長の数値指定にしても最大５０ｃｍのテープを遊びで作成されては（テープの無駄使いになり）こまるので、最大長を１０ｃｍまでに絞って、子供向けに専用化することができる。
【００８３】
また、例えば図１８（ａ）に示すように、全機能の標準モードでは、作成・編集する文書の明朝体やゴシック体などの書体の種類の選択肢を示す「書体」、白影・白抜き等や斜体・強調等などの飾り字の種類の選択肢を示す「飾り字」、行中の基本文字サイズに対する縮小・拡大を示す「伸・縮」、下線や文字囲みや網掛けなどの指定を示す「罫・網」、文字間を調整する「文字間」など、いわゆる文字の装飾属性（文字モード）として、選択可能な種々の選択肢が用意される。
【００８４】
これに対し、例えば子供モードでは、同図（ｂ）に示すように、「飾り字」としても白抜き程度が有れば良いし、「罫・網」も基本的なもの（丸囲、角囲等）があれば十分であり、「伸・縮」等や「文字間」の調整等は不要であり、指定対象範囲を示す選択肢も、行や段落単位は不要なので、それらも省略して、子供向けの機能に専用化することができる。
【００８５】
また、例えば図１９（ａ）に示すように、全機能の標準モードでは、同じラベルを印刷する枚数を指定するための選択肢を示す「ぞくぞく」、通常の２倍から４倍の大きさの印刷を指定する選択肢を示す「でかでか」、文章（文字列）をうねる波のように印刷する選択肢を示す「なみなみ」、文章（文字列）を横方向に伸び縮みさせて印刷する選択肢を示す「ながなが」、鏡文字の印刷を指定する選択肢を示す「鏡文字」など、いわゆる特殊印刷として、選択可能な種々の選択肢が用意される。
【００８６】
これに対し、例えば子供モードでは、同図（ｂ）に示すように、「ぞくぞく」としてはテープの無駄使いを防止するためにも１０枚までで十分であり、「なみなみ」や「ながなが」としても基本的なものがあれば十分であり、「でかでか」等は不要であり、これらの省略により、子供向けの機能に専用化できる。
【００８７】
また、例えば図２０（ａ）に示すように、全機能の標準モードでは、記号その他（図形を含む）のキャラクタとして入力できる選択肢の中に、自分で編集したり合成したりすることで登録した記号を入力するための「編集」や「合成」があるが、例えば子供モードでは、この種の高度な記号まで必要とはしないので、同図（ｂ）に示すように、これらを省略して、子供向けの機能に専用化できる。
【００８８】
次に、他の対象ユーザについても少し例示しておく。例えば趣味的な使用しか考えにくい「かな書体」の「まる文字」「てまり文字」「えれん文字」「はっぴ文字」等は、一般事務向けの機能に特化した一般モードでは、不要として省略しも良いし、逆に、個人の大人向け用の機能のみに専用化した大人モードや子供向けの子供モードでは、趣向を凝らすのに便利である。
【００８９】
また、図１９で前述の特殊印刷のメニューには、図示されていないが、その他のオプション選択可能な特殊印刷として、テープ印刷装置１の標準モードでは、入力した任意の数値を種々の規格のバーコードに変換して印刷する「バーコード印刷」ができ、この種の特殊印刷は、一般モードでは必要になっても、大人モードや子供モード等では不要なので、省略して簡素化できる。
【００９０】
また、日本人のユーザでは、特にローマ字入力の苦手なユーザ向けに、ひらがな入力やカタカナ入力などのいわゆる「仮名入力」がほぼ必須の機能であるが、アルファベットを使用する外国人向けの機能に特化した外人モードでは、仮名入力は無用のものなので、省略して簡素化できる。
【００９１】
また、例えば子供向けとしては、入力可能な記号の絵文字等や外字その他でアニメキャラクタ等が多種類登録してあって、その分、一般モード等で使用する一般記号等は少し絞って省略した方が好ましいが、同じく子供向けとしても、男の子向けの機能に特化した男子モードと、女の子向けの機能に特化した女子モードとでは、機能の絞り方を変えることが好ましい。
【００９２】
例えば男子モードでは、記号その他のキャラクタとして、いわゆる少年漫画の登場人物や登場する怪獣・モンスター等が欲しいが、女子モードでは、いわゆる少女漫画の登場人物等が欲しいし、その他にも、女の子が好む花や洋服等の絵図（デザイン）、さらには地模様としてもかわいらしいデザインのものを利用可能とすることが好ましい。
【００９３】
そして、上記の対象ユーザによる相違に関連して、対象ユーザ別機能モードに対応する動画表示（オープニング画面やエンディング画面）も、その対象ユーザを明示または暗示するものが好ましい。
【００９４】
例えば○○○を製品名等とした場合、男子モードのオープニング画面では、怪獣が口から「○・○・○」と文字を吹き出すのに対し、女子モードでは、アニメ主役の女の子がつぼみに水を注ぐと「○・○・○」と花が咲くなど、イメージによって男子モードか女子モードかなどの機能モードが区別できるものが好ましい。もちろん、他の対象ユーザ別機能モードに対応する動画表示についても同様に、その機能モードをイメージしやすいものが好ましい。
【００９５】
なお、例えば上述の全機能の標準モード、一般事務向けの一般モード、個人大人向け用の大人モード、子供向けの子供モード、男の子向けの男子モード、女の子向けの女子モードおよび外国人向けの外人モードなど、多数の機能モードがある場合の機能モードの切換（選択）についても、図６〜図１３等で前述の電源キー＋数字キー等と同様に、それぞれの機能モードに対応する任意キー（数字キー等）と電源キーとの同時操作により選択しても良いし、それぞれの専用キーを設けても良いし、切換キーにより順次循環的に切り換えるようにしても良い。
【００９６】
また、上述の機能モードは、主にユーザ別および使用目的別であるが、これらの他、例えば建築現場や建築会社向けの建築モード、医者または病院向けの病院モード、観光案内または観光地向けの観光モードなど、テープ印刷装置１の仕向け先等に従って切換可能な機能モードを用意しても良い。
【００９７】
これらの場合、例えば建築モードでは、建築用の記号を使用可能キャラクタとして多種類使用できるようにする代わりに、他の記号等の選択肢は省略し、同様に、病院モードでは、治療器具や薬品等の収納ケース等にマーク入りで貼れるラベルを作成するための記号等の選択肢を多くする代わりに、また、観光モードでは、観光案内用の記号等の選択肢を多くする代わりに、それぞれ他の記号等の選択肢は省略するなど、仕向け先等に合わせて専用化できる。
【００９８】
また、同一機種でありながら、複数回のグレードアップ（バージョンアップ）があり、かつ、使用方法や使用目的あるいは使用地によって旧グレード（旧バージョン）の機能のみに絞ることが必要とされる場合には、そのグレード別（バージョン別）の機能モードを用意して切り換えられるようにしても良い。もちろん、それをメーカー側でのみできるように（非公開に）して、機能モード切換により別機種（上位機種や下位機種）として出荷することもできる。
【００９９】
なお、上述の実施形態では、電子機器としてテープ印刷装置を例示したが、電源操作に伴って動画表示を行うものであれば、他の印刷装置でも、あるいは印刷装置以外の電子機器でも良い。
【０１００】
また、本発明は、プログラム処理可能な情報処理装置によって処理されるプログラムとして、上述の電源操作に伴って動画表示を行うプログラムにも適用でき、あるいは、その種のプログラムを記憶するためのＣＤ等を初めとする記憶媒体にも適用できる。すなわち、この種のプログラムを記憶しておいて、あるいは記憶媒体等から読み出して、実行することにより、電源操作に伴って表示される動画画面によって、選択されている機能を判別可能となる。もちろん、その他、本発明の要旨を逸脱しない範囲で、適宜変更も可能である。
【０１０１】
【発明の効果】
上述のように、本発明の電子機器、印刷装置、電子機器の動画画面表示方法、プログラムおよび記憶媒体によれば、電源操作時等において容易に機能モードを選択でき、電源操作に伴って表示される動画画面によって、選択されている機能を判別できる、などの効果がある。
【図面の簡単な説明】
【図１】本発明の一実施形態に係るテープ印刷装置の外観斜視図である。
【図２】図１のテープ印刷装置の、蓋を開けた状態の斜視図である。
【図３】図１のテープ印刷装置の制御系を示す概略ブロック図である。
【図４】図１のテープ印刷装置の制御全体の概略処理を示すフローチャートである。
【図５】印刷をするときの一例を示す、表示画面およびその表示画面上での典型的な操作の説明図である。
【図６】一般モードでの電源オフ状態から、機能モード選択を伴わない電源オンを行った場合のオープニング画面の説明図である。
【図７】一般モードでの電源オフ状態から、子供モードを選択する機能モード選択を伴う電源オンを行った場合のオープニング画面の説明図である。
【図８】子供モードでの電源オフ状態から、機能モード選択を伴わない電源オンを行った場合のオープニング画面の説明図である。
【図９】子供モードでの電源オフ状態から、一般モードを選択する機能モード選択を伴う電源オンを行った場合のオープニング画面の説明図である。
【図１０】一般モードでの電源オン状態から、機能モード選択を伴わない電源オフを行った場合のエンディング画面の説明図である。
【図１１】一般モードでの電源オン状態から、子供モードを選択する機能モード選択を伴う電源オフを行った場合のエンディング画面の説明図である。
【図１２】子供モードでの電源オン状態から、機能モード選択を伴わない電源オフを行った場合のエンディング画面の説明図である。
【図１３】子供モードでの電源オン状態から、一般モードを選択する機能モード選択を伴う電源オフを行った場合のエンディング画面の説明図である。
【図１４】図１に対応して、子供向けのテープ印刷装置の一例を示す外観斜視図である。
【図１５】文書や段落等のスタイルに関する仕様についての、全機能の標準モードおよび子供向けの子供モードにおける選択肢の例を示す説明図である。
【図１６】図１５に続く、図１５と同様の説明図である。
【図１７】文書等の書式に関する仕様についての、図１５と同様の説明図である。
【図１８】文字の装飾属性に関する仕様についての、図１５と同様の説明図である。
【図１９】特殊印刷に関する仕様についての、図１５と同様の説明図である。
【図２０】使用可能キャラクタに関する仕様についての、図１５と同様の説明図である。
【符号の説明】
１　　　テープ印刷装置
３　　　キーボード
４　　　ディスプレイ
７　　　印刷ヘッド
１１　　操作部
１２　　印刷部
１３　　切断部
１４　　検出部
２００　制御部
２７０　駆動部
Ｃ　　　テープカートリッジ
Ｄ２０〜Ｄ２２、Ｄ３０〜Ｄ３２、Ｄ４０〜Ｄ４２、Ｄ５０〜Ｄ５２
……　オープニング画面（動画画面）
Ｄ６１〜Ｄ６３、Ｄ７１〜Ｄ７３、Ｄ８１〜Ｄ８３、Ｄ９１〜Ｄ９３
……　エンディング画面（動画画面）
Ｒ　　　インクリボン
Ｔ　　　テープ
【図１】
2004009568.tif 000003
【図２】
2004009568.tif 000004
【図３】
2004009568.tif 000005
【図４】
2004009568.tif 000006
【図５】
2004009568.tif 000007
【図６】
2004009568.tif 000008
【図７】
2004009568.tif 000009
【図８】
2004009568.tif 000010
【図９】
2004009568.tif 000011
【図１０】
2004009568.tif 000012
【図１１】
2004009568.tif 000013
【図１２】
2004009568.tif 000014
【図１３】
2004009568.tif 000015
【図１４】
2004009568.tif 000016
【図１５】
2004009568.tif 000017
【図１６】
2004009568.tif 000018
【図１７】
2004009568.tif 000019
【図１８】
2004009568.tif 000020
【図１９】
2004009568.tif 000021
【図２０】
2004009568.tif 000022